(57)【要約】【課題】圧縮機（30）及びアキュームレータ（31）を一括して覆う被覆断熱部材（15）を備える冷凍装置（10）において、圧縮機（30）の熱損失を低減させて冷凍装置（10）の効率を向上させる。【解決手段】圧縮機（30）とアキュームレータ（31）とが接続された冷媒回路（20）と、圧縮機（30）とアキュームレータ（31）とを一括して覆う被覆断熱部材（15）とを備える冷凍装置において、被覆断熱部材（15）の内側の空間に、圧縮機（30）とアキュームレータ（31）との間に介在して圧縮機（30）とアキュームレータ（31）とを互いに断熱する第１断熱部材（38）と、圧縮機（30）の底面を覆って断熱する第２断熱部材（39）とを設ける。【選択図】図２
2008175414.tif 000002
【特許請求の範囲】
【請求項１】
圧縮機（30）と、該圧縮機（30）の吸入側に配置されるアキュームレータ（31）とが接続された冷媒回路（20）と、
上記圧縮機（30）とアキュームレータ（31）とを一括して覆う被覆断熱部材（15）とを備える冷凍装置であって、
上記被覆断熱部材（15）の内側の空間には、上記圧縮機（30）とアキュームレータ（31）との間に介在して該圧縮機（30）とアキュームレータ（31）とを互いに断熱する第１断熱部材（38）と、上記圧縮機（30）の底面を覆って断熱する第２断熱部材（39）とが設けられていることを特徴とする冷凍装置。
【請求項２】
請求項１において、
上記第１断熱部材（38）と第２断熱部材（39）とは、同じ材料により構成されており、上記被覆断熱部材（15）に覆われた状態の上記圧縮機（30）とアキュームレータ（31）の周囲に充填されていることを特徴とする冷凍装置。
【請求項３】
請求項１又は２において、
上記第２断熱部材（39）は、繊維状の部材であることを特徴とする冷凍装置。
【発明の詳細な説明】
【技術分野】
【０００１】
本発明は、冷媒回路に接続された圧縮機及びアキュームレータを一括して覆う部材を備える冷凍装置に関するものである。
【背景技術】
【０００２】
従来より、圧縮機及びアキュームレータを一括して覆う部材を備える冷凍装置が知られている。このような部材を設けるのは、圧縮機及びアキュームレータを断熱したり、圧縮機及びアキュームレータの騒音を防止するためである。
【０００３】
特許文献１には、この種の冷凍装置としての空気調和機が記載されている。この空気調和機では、圧縮機とアキュームレータを一括して覆う部材が３層構造になっている。この３層構造の部材に覆われた圧縮機とアキュームレータの間には、グラスウールが充填されている。この空気調和機では、３層構造の部材やグラスウールが、圧縮機及びアキュームレータの騒音を防止する目的で設けられている。
【０００４】
ここで、この種の冷凍装置では、圧縮機とアキュームレータとを一括して覆う部材の内側に熱が籠もりやすくなっている。このため、圧縮機とアキュームレータとを互いに断熱しなければ、圧縮機からアキュームレータへの熱移動量が比較的大きくなってしまう。そして、圧縮機からアキュームレータへの熱移動によってアキュームレータが加熱されると、圧縮機の吸入冷媒の体積が増加するので、圧縮機の運転容量が一定であれば圧縮機の吐出冷媒の流量が減少する。従って、この種の冷凍装置では、吐出冷媒の流量の低下を抑制するために、圧縮機とアキュームレータとを互いに断熱する部材を設けるのが望ましい。
【特許文献１】特開平８−１５２２２９号公報
【発明の開示】
【発明が解決しようとする課題】
【０００５】
しかし、従来の冷凍装置では、圧縮機とアキュームレータを一括して覆う部材の内側に設けられたグラスウールが、圧縮機とアキュームレータとを互いに断熱する役割を果たすものの、圧縮機の底面まではゆき亘っておらず、圧縮機の底面が露出していた。従って、圧縮機の底面では比較的多くの熱が放出され、又は侵入するので、圧縮機の底面における熱損失によって冷凍装置の効率が低下していた。
【０００６】
例えば、冷凍装置が空調機である場合の暖房運転時には、室外機の底面が比較的低い温度になる。このため、圧縮機の底面からの放熱量が比較的多くなり、室内機の熱交換器に供給される冷媒の熱量が減少していた。
【０００７】
本発明は、かかる点に鑑みてなされたものであり、その目的は、圧縮機及びアキュームレータを一括して覆う被覆断熱部材を備える冷凍装置において、圧縮機の熱損失を低減させて冷凍装置の効率を向上させることである。
【課題を解決するための手段】
【０００８】
第１の発明は、圧縮機（30）と、該圧縮機（30）の吸入側に配置されるアキュームレータ（31）とが接続された冷媒回路（20）と、上記圧縮機（30）とアキュームレータ（31）とを一括して覆う被覆断熱部材（15）とを備える冷凍装置（10）を対象とする。そして、この冷凍装置（10）は、上記被覆断熱部材（15）の内側の空間には、上記圧縮機（30）とアキュームレータ（31）との間に介在して該圧縮機（30）とアキュームレータ（31）とを互いに断熱する第１断熱部材（38）と、上記圧縮機（30）の底面を覆って断熱する第２断熱部材（39）とが設けられている。
【０００９】
第１の発明では、圧縮機（30）とアキュームレータ（31）との間に介在する第１断熱部材（38）が、圧縮機（30）とアキュームレータ（31）とを互いに断熱する。また、圧縮機（30）の底面を覆う第２断熱部材（39）が、圧縮機（30）の底面を断熱する。このため、圧縮機（30）とアキュームレータ（31）との間の熱移動に加えて、圧縮機（30）の底面における熱の放出又は侵入が抑制される。
【００１０】
第２の発明は、上記第１の発明において、上記第１断熱部材（38）と第２断熱部材（39）とが、同じ材料により構成されており、上記被覆断熱部材（15）に覆われた状態の上記圧縮機（30）とアキュームレータ（31）の周囲に充填されている。
【００１１】
第２の発明では、第１断熱部材（38）と第２断熱部材（39）を同じ材料にしている。このため、一連の作業によって、圧縮機（30）とアキュームレータ（31）の周囲に第１断熱部材（38）と第２断熱部材（39）とを充填することが可能である。
【００１２】
第３の発明は、上記第１又は２の発明において、上記第２断熱部材（39）が、繊維状の部材である。
【００１３】
第３の発明では、第２断熱部材（39）に繊維状の部材を用いる。このため、第２断熱部材（39）は、圧縮機（30）の底面の形状に応じて変形する。
【発明の効果】
【００１４】
本発明では、圧縮機（30）とアキュームレータ（31）との間に介在する第１断熱部材（38）だけでなく圧縮機（30）の底面を覆う第２断熱部材（39）を設けることで、圧縮機（30）とアキュームレータ（31）との間の熱移動に加えて、圧縮機（30）の底面における熱の放出又は侵入が抑制されるようにしている。従って、圧縮機（30）の底面が露出している従来の冷凍装置に比べて圧縮機（30）の熱損失が減少するので、冷凍装置（10）の効率を向上させることができる。
【００１５】
また、上記第２の発明によれば、第１断熱部材（38）と第２断熱部材（39）を同じ材料にしているので、一連の作業によって、圧縮機（30）とアキュームレータ（31）の周囲に第１断熱部材（38）と第２断熱部材（39）とを充填することが可能である。従って、第１断熱部材（38）を設ける作業と第２断熱部材（39）を設ける作業とを別々に行う必要がないので、第１断熱部材（38）と第２断熱部材（39）とを容易に設けることができる。
【００１６】
また、上記第３の発明では、第２断熱部材（39）が、圧縮機（30）の底面の形状に応じて変形する繊維状の部材である。このため、圧縮機（30）の底面の隙間に合わせて成形する必要がなく、そのままの状態で使用できる。
【発明を実施するための最良の形態】
【００１７】
以下、本発明の実施形態を図面に基づいて詳細に説明する。
【００１８】
本実施形態は、本発明に係る冷凍装置として構成された空気調和装置（10）である。この空気調和装置（10）は、冷房運転と暖房運転とを選択可能に構成されている。この空気調和装置（10）は、図１に示すように、室外機（11）と室内機（13）とを備えている。
【００１９】
室外機（11）のケーシング内には、冷凍装置（10）の構成機器として、圧縮機（30）、アキュームレータ（31）、四路切換弁（33）、室外熱交換器（34）、室外膨張弁（36）、及び室外ファン（12）が設けられている。室内機（13）のケーシング内には、冷凍装置（10）の構成機器として、室内熱交換器（37）及び室内ファン（14）が設けられている。これらの冷凍装置（10）の構成機器は、冷媒が充填された冷媒回路（20）に接続されている。この冷媒回路（20）では、冷媒を循環させて蒸気圧縮冷凍サイクルが行われる。
【００２０】
圧縮機（30）は、高圧ドーム型の圧縮機として構成されている。圧縮機（30）の吐出側は、吐出管（21）を介して四路切換弁（33）の第１ポート（P1）に接続されている。圧縮機（30）の吸入側は、吸入管（22）を介してアキュームレータ（31）の底面に接続されている。
【００２１】
アキュームレータ（31）は、密閉容器状に構成されている。アキュームレータ（31）は、圧縮機（30）に近接して配置されている。アキュームレータ（31）の上面には、接続配管（23）の一端が接続されている。接続配管（23）の他端は、四路切換弁（33）の第３ポート（P3）に接続されている。
【００２２】
なお、圧縮機（30）とアキュームレータ（31）とは、被覆断熱部材（15）によって覆われている。また、図２に示すように、被覆断熱部材（15）に覆われた圧縮機（30）とアキュームレータ（31）との周囲の空間には、第１断熱部材（38）及び第２断熱部材（39）が充填されている。被覆断熱部材（15）、第１断熱部材（38）、及び第２断熱部材（39）についての詳細は後述する。
【００２３】
室外熱交換器（34）は、クロスフィン式のフィン・アンド・チューブ型熱交換器として構成されている。室外熱交換器（34）の近傍には、室外ファン（12）が配置されている。この室外熱交換器（34）では、室外ファン（12）によって送られる室外空気と流通する冷媒との間で熱交換が行われる。室外熱交換器（34）の一端は、四路切換弁（33）の第２ポート（P2）に接続されている。室外熱交換器（34）の他端は、室外膨張弁（36）に接続されている。
【００２４】
室内熱交換器（37）は、クロスフィン式のフィン・アンド・チューブ型熱交換器として構成されている。室内熱交換器（37）の近傍には、室内ファン（14）が配置されている。この室内熱交換器（37）では、室内ファン（14）によって送られる室内空気と流通する冷媒との間で熱交換が行われる。室内熱交換器（37）の一端は、四路切換弁（33）の第４ポート（P4）に接続されている。室内熱交換器（37）の他端は、室外膨張弁（36）に接続されている。
【００２５】
四路切換弁（33）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え自在になっている。
【００２６】
−断熱部材の構成−
被覆断熱部材（15）、第１断熱部材（38）、及び第２断熱部材（39）の構成について説明する前に、圧縮機（30）とアキュームレータ（31）の形状等について詳細に説明する。
【００２７】
圧縮機（30）は、図２及び図３に示すように、冷媒を圧縮する圧縮機構（50）と、圧縮機構（50）を駆動させる電動機（46）と、圧縮機構（50）と電動機（46）とを収容するケーシング（28）とを備えている。ケーシング（28）は、両端が閉塞された円筒容器状に形成されている。ケーシング（28）の上面からは、矩形断面の突出部（28a）が突出している。突出部（28a）の上面には給電用端子（28b）が設けられている。給電用端子（28b）には、電動機の回転速度を変更するためのインバータから延びるリード線が接続される。また、ケーシング（28）の底面には、ゴム製の脚部（28c）が複数設けられている。
【００２８】
アキュームレータ（31）は、両端が閉塞された円筒状の容器として構成されている。アキュームレータ（31）の外径と高さは、圧縮機（30）のケーシング（28）に比べて小さい。アキュームレータ（31）は、その軸方向が圧縮機（30）のケーシング（28）の軸方向と概ね一致して圧縮機（30）に近接する状態で、取付用部材（40）を介して圧縮機（30）に取り付けられている。
【００２９】
圧縮機（30）のケーシング（28）の上面には、吐出管（21）が接続されている。ケーシング（28）の側面の下寄りの位置には吸入管（22）が接続されている。吸入管（22）は、水平方向に延びてから上側に垂直に折れ曲がって、アキュームレータ（31）の底面に接続されている。アキュームレータ（31）の上面には、接続配管（23）が接続されている。
【００３０】
取付用部材（40）は、支持部材（57）と保持部材（43）と固定用ベルト（45）とを備えている。支持部材（57）と保持部材（43）とは、一体になっている。また、支持部材（57）は、接触部（42）と接続部（44）とを備えている。
【００３１】
接触部（42）は、円弧板状に形成されている。接触部（42）の内径は、圧縮機（30）の外径と等しくなっている。接続部（44）は、梯子状に形成されている。また、保持部材（43）は、断面が半円状の部材である。保持部材（43）の内径は、アキュームレータ（31）の外径と等しくなっている。保持部材（43）の周方向の両端は、共に固定用ベルト（45）を引っ掛けるために鉤状になっている。接続部（44）は、接触部（42）の周方向の真ん中部分と、保持部材（43）の周方向の真ん中部分とを接続している。
【００３２】
支持部材（57）は、接触部（42）の内周面が圧縮機（30）の外周面に当接する状態で、溶接によって圧縮機（30）に固定されている。アキュームレータ（31）は、保持部材（43）に嵌め込まれた状態で、固定用ベルト（45）によって固定されている。この状態では、接続部（44）が、圧縮機（30）の中心とアキュームレータ（31）の中心とを結ぶ線に沿って延びている。支持部材（57）は、保持部材（43）を介してアキュームレータ（31）を支持している。支持部材（57）は、圧縮機（30）とアキュームレータ（31）との間において圧縮機（30）の側面うちアキュームレータ（31）に対向する部分からアキュームレータ（31）の側面まで延びている。
【００３３】
続いて、被覆断熱部材（15）について説明する。
【００３４】
被覆断熱部材（15）は、原材料を固化させることによって製作された比較的硬い断熱材である。被覆断熱部材（15）は、例えば原材料を一定の型内で発泡させてから離型するモールド発泡によって製作される。被覆断熱部材（15）には、例えば硬質ポリウレタンフォームやフェノールフォームなどが用いられる。この空気調和装置（10）では圧縮機（30）が比較的高温になるので、被覆断熱部材（15）には耐熱性が比較的高い断熱材が採用されている。
【００３５】
被覆断熱部材（15）は、側面被覆部（18）と上面被覆部（19）とを備えている。側面被覆部（18）と上面被覆部（19）は、共に予め所定の形状に成形されている。
【００３６】
側面被覆部（18）は、平面視における外周形状が略卵形の筒状に形成されている。側面被覆部（18）では、平面視における一端側が膨らみの大きい大断面部（26）を構成し、他端側が該大断面部（26）に比べて膨らみが小さい小断面部（27）を構成している。側面被覆部（18）は、その内面の形状が、一体化された圧縮機（30）及びアキュームレータ（31）の外形よりも僅かに大きくなるように形成されている。また、側面被覆部（18）の高さは、圧縮機（30）の脚部（28c）の下端からケーシング（28）の上端までの高さと等しくなっている。側面被覆部（18）は、大断面部（26）が圧縮機（30）側に位置して小断面部（27）がアキュームレータ（31）側に位置する状態で圧縮機（30）及びアキュームレータ（31）を一括して囲っている。
【００３７】
上面被覆部（19）は、図５に示すように、略卵形の板状に形成されている。上面被覆部（19）の外周形状は、側面被覆部（18）の断面の外周形状と同じである。上面被覆部（19）には、第１貫通孔（17a）、第２貫通孔（17b）、及び第３貫通孔（17c）が形成されている。第１貫通孔（17a）は、吐出管（21）を挿通させるための円形の穴である。第２貫通孔（17b）は、接続配管（23）を挿通させるための円形の穴である。第３貫通孔（17c）は、突出部（28a）を挿通させるための矩形の穴である。上面被覆部（19）は、側面被覆部（18）の上端の開口を塞ぐ状態で側面被覆部（18）に取り付けられている。
【００３８】
続いて、第１断熱部材（38）及び第２断熱部材（39）について説明する。
【００３９】
第１断熱部材（38）は、圧縮機（30）とアキュームレータ（31）とを互いに断熱するための部材である。第１断熱部材（38）は、圧縮機（30）の底面の下側を除く、被覆断熱部材（15）によって覆われた圧縮機（30）及びアキュームレータ（31）の周囲の空間に充填されている。第１断熱部材（38）は、圧縮機（30）とアキュームレータ（31）との間に介在すると共に、圧縮機（30）の側面やアキュームレータ（31）の周囲を覆っている。第１断熱部材（38）は、圧縮機（30）とアキュームレータ（31）とを互いに断熱すると共に、圧縮機（30）とアキュームレータ（31）を個別に断熱している。
【００４０】
第２断熱部材（39）は、圧縮機（30）の底面を断熱するための部材である。第２断熱部材（39）は、圧縮機（30）の底面の下側における脚部（28c）の隙間に充填されている。圧縮機（30）の底面は、第２断熱部材（39）によって覆われている。
【００４１】
第１断熱部材（38）及び第２断熱部材（39）は、共に繊維状の部材である。第１断熱部材（38）及び第２断熱部材（39）には、同じものが用いられており、例えばグラスウールやロックウールが用いられる。
【００４２】
−圧縮機及びアキュームレータの断熱手順−
圧縮機（30）とアキュームレータ（31）とに対して、被覆断熱部材（15）、第１断熱部材（38）、及び第２断熱部材（39）を設ける手順について説明する。
【００４３】
なお、これらの断熱部材（15,38,39）を設ける前の圧縮機（30）とアキュームレータ（31）とは、まだ冷媒回路（20）に接続されていない。圧縮機（30）のケーシング（28）の上面には吐出管（21）の一部となる短い配管が接続され、アキュームレータ（31）の上面には接続配管（23）の一部となる短い配管が接続されている。圧縮機（30）とアキュームレータ（31）とは、一体になった状態で室外機（11）のケーシング内に設置されている。
【００４４】
まず、一体の状態の圧縮機（30）及びアキュームレータ（31）に、被覆断熱部材（15）の側面被覆部（18）を取り付ける。側面被覆部（18）は、圧縮機（30）が大断面部（26）側に位置してアキュームレータ（31）が小断面部（27）側に位置するように、一体の状態の圧縮機（30）及びアキュームレータ（31）の上側から取り付けられる。側面被覆部（18）を取り付けると、側面被覆部（18）が圧縮機（30）及びアキュームレータ（31）を一括して囲う状態になる。
【００４５】
続いて、側面被覆部（18）によって囲われた圧縮機（30）及びアキュームレータ（31）の周囲の空間に、第１断熱部材（38）及び第２断熱部材（39）を充填する。第１断熱部材（38）及び第２断熱部材（39）は、側面被覆部（18）の上端の開口から詰め込むことよって充填される。第１断熱部材（38）及び第２断熱部材（39）は、同じ材料であるため、一連の作業によって充填される。
【００４６】
最後に、上面被覆部（19）を取り付ける。上面被覆部（19）は、吐出管（21）を第１貫通孔（17a）に、吸入管（22）を第２貫通孔（17b）に、突出部（28c）を第３貫通孔（17c）に挿通させながら側面被覆部（18）の上端面に載せられた後に、側面被覆部（18）に固定される。この状態では、給電用端子（28b）が上面被覆部（19）から突出している。
【００４７】
以上の作業により被覆断熱部材（15）、第１断熱部材（38）、及び第２断熱部材（39）を設ける作業は完了する。この作業が完了すると、圧縮機（30）とアキュームレータ（31）とは冷媒回路（20）に接続される。
【００４８】
−実施形態の効果−
本実施形態では、圧縮機（30）とアキュームレータ（31）との間に介在する第１断熱部材（38）だけでなく圧縮機（30）の底面を覆う第２断熱部材（39）を設けることで、圧縮機（30）とアキュームレータ（31）との間の熱移動に加えて、圧縮機（30）の底面における熱の放出又は侵入が抑制されるようにしている。従って、圧縮機（30）の底面が露出している従来の冷凍装置に比べて圧縮機（30）の熱損失が減少するので、冷凍装置（10）の効率を向上させることができる。
【００４９】
また、本実施形態によれば、第１断熱部材（38）と第２断熱部材（39）を同じ材料にしているので、一連の作業によって、被覆断熱部材（15）の側面被覆部（18）に囲われた状態の圧縮機（30）とアキュームレータ（31）の周囲に第１断熱部材（38）と第２断熱部材（39）とを充填することが可能である。従って、第１断熱部材（38）を設ける作業と第２断熱部材（39）を設ける作業とを別々に行う必要がないので、第１断熱部材（38）と第２断熱部材（39）とを容易に設けることができる。
【００５０】
また、本実施形態では、第２断熱部材（39）が、圧縮機（30）の底面の形状に応じて変形する繊維状の部材である。このため、圧縮機（30）の底面の隙間に合わせて成形する必要がなく、そのままの状態で使用できる。
【００５１】
−実施形態の変形例１−
実施形態の変形例１について説明する。この変形例１では、図４に示すように、圧縮機（30）とアキュームレータ（31）とを互いに断熱する第１断熱部材（38）が、予め所定の形状に成形された仕切断熱部材（38a）と、例えばグラスウールやロックウールなどの繊維状の部材により構成された充填断熱部材（38b）とにより構成されている。
【００５２】
仕切断熱部材（38a）は、長方形の板状に形成されている。仕切断熱部材（38a）は、圧縮機（30）とアキュームレータ（31）との間を仕切るように配置されている。仕切断熱部材（38a）の下端は室外機（11）の底板の上面に当接し、仕切断熱部材（38a）の上端は上面被覆部（19）の下面に当接している。なお、仕切断熱部材（38a）の幅方向の両端側面は、側面被覆部（18）の内周面にそれぞれ当接している（図示省略）。
【００５３】
仕切断熱部材（38a）は、その幅方向の真ん中で、一対の分割部材に分かれている（図示省略）。各分割部材には、支持部材（57）の接触部（42）を嵌め込むための切り欠きと、吸入管（22）を嵌め込むための切り欠きとがそれぞれ形成されている。一対の分割部材は、各切り欠きに支持部材（57）の接続部（44）と吸入管（22）とをそれぞれ嵌め込みながら取り付けられている。
【００５４】
充填断熱部材（38b）は、圧縮機（30）の底面の下側を除く、被覆断熱部材（15）によって覆われた圧縮機（30）及びアキュームレータ（31）の周囲の空間に充填されている。充填断熱部材（38b）は、仕切断熱部材（38a）を設置した後に充填されている。充填断熱部材（38b）は、圧縮機（30）とアキュームレータ（31）との間に介在すると共に、圧縮機（30）の側面やアキュームレータ（31）の周囲を覆っている。充填断熱部材（38b）は、圧縮機（30）とアキュームレータ（31）とを互いに断熱すると共に、圧縮機（30）とアキュームレータ（31）を個別に断熱している。
【００５５】
−実施形態の変形例２−
実施形態の変形例２について説明する。この変形例２では、図５に示すように、取付用部材（40）の形状が上記実施形態とは異なっている。
【００５６】
具体的に、この変形例２の取付用部材（40）は、第１支持部材（57a）と第２支持部材（57b）と保持部材（43）と固定用ベルト（45）とを備えている。第１支持部材（57a）と第２支持部材（57b）と保持部材（43）とは一体になっている。
【００５７】
保持部材（43）は、断面がＣ字の円弧状に形成された部材である。保持部材（43）の内径は、アキュームレータ（31）の外径と等しくなっている。保持部材（43）の周方向の両端は、共に固定用ベルト（45）を引っ掛けるために鉤状になっている。保持部材（43）の内側には、アキュームレータ（31）が嵌め込まれている。保持部材（43）に嵌め込まれたアキュームレータ（31）は、固定用ベルト（45）によって固定されている。
【００５８】
第１支持部材（57a）及び第２支持部材（57b）は、細長い矩形板状の部材である。第１支持部材（57a）及び第２支持部材（57b）は、圧縮機（30）とアキュームレータ（31）とを両側方から挟むように配置されている。第１支持部材（57a）及び第２支持部材（57b）は共に、一端側が保持部材（43）に固定され、他端側が圧縮機（30）の側面に固定されている。第１支持部材（57a）及び第２支持部材（57b）は、共に圧縮機（30）とアキュームレータ（31）の両方に接する接線の方向に延びている。第１支持部材（57a）及び第２支持部材（57b）は、保持部材（43）を介してアキュームレータ（31）を支持している。
【００５９】
この変形例２では、圧縮機（30）の側面のうちアキュームレータ（31）に対向する部分とアキュームレータ（31）の側面との間の領域に、アキュームレータ（31）を支持するための部材が存在しない。このため、第１断熱部材（38）及び第２断熱部材（39）を詰め込む作業を比較的容易に行うことができる。
【００６０】
また、この変形例２の支持部材（57）では、圧縮機（30）に接触する部分からアキュームレータ（31）に接触する部分までの距離が、圧縮機（30）の側面のうちアキュームレータ（31）と対向する部分からアキュームレータ（31）の側面まで延びる従来の支持部材に比べて長くなっている。つまり、この変形例２の支持部材（57）は、従来の支持部材に比べて、圧縮機（30）とアキュームレータ（31）間における熱の移動距離が長くなっている。従って、支持部材（57）を介しての圧縮機（30）とアキュームレータ（31）間の熱移動を抑制することができる。
【００６１】
《その他の実施形態》
上記実施形態については、以下のような構成としてもよい。
【００６２】
上記実施形態について、圧縮機（30）が低圧ドーム型の圧縮機として構成されていてもよい。
【００６３】
また、上記実施形態について、被覆断熱部材（15）がいわゆる真空断熱材により構成されていてもよい。この場合は、耐熱性が高い真空断熱材を使用する。
【００６４】
また、上記実施形態について、第２断熱部材（39）が予め所定の形状に成形された断熱材であってもよい。第２断熱部材（39）は、一体になった状態の圧縮機（30）及びアキュームレータ（31）を室外機（11）のケーシング内に設置する前に、圧縮機（30）の底面に取り付けられる。この場合、圧縮機（30）の脚部（28c）を設けずに、第２断熱部材（39）が圧縮機（30）を支持する脚部の機能を果たすようにしてもよい。第２断熱部材（39）は、円板状に形成され、その上面が圧縮機（30）の底面に沿う形状になっている。
【００６５】
また、上記実施形態について、第１断熱部材（38）と第２断熱部材（39）に用いる断熱材が、例えばセルロースファイバーなど、吹き込むことによって設ける断熱材であってもよい。
【００６６】
また、上記実施形態について、第１断熱部材（38）と第２断熱部材（39）に用いる断熱材が、例えば発泡ウレタンなど、原料液を発泡させることによって形成される断熱材であってもよい。
【００６７】
なお、以上の実施形態は、本質的に好ましい例示であって、本発明、その適用物、あるいはその用途の範囲を制限することを意図するものではない。
【産業上の利用可能性】
【００６８】
以上説明したように、本発明は、冷媒回路に接続された圧縮機及びアキュームレータを一括して覆う部材を備える冷凍装置について有用である。
【図面の簡単な説明】
【００６９】
【図１】本発明の実施形態に係る空気調和装置の概略構成図である。
【図２】本発明の実施形態に係る空気調和装置における被覆断熱部材の縦断面図である。
【図３】本発明の実施形態に係る空気調和装置における被覆断熱部材の側面被覆部が取り付けられた状態の圧縮機とアキュームレータの平面図である。
【図４】本発明の実施形態の変形例１に係る空気調和装置における被覆断熱部材の縦断面図である。
【図５】本発明の実施形態の変形例２に係る空気調和装置における被覆断熱部材の側面被覆部が取り付けられた状態の圧縮機とアキュームレータの平面図である。
【符号の説明】
【００７０】
10  空気調和装置（冷凍装置）
15  被覆断熱部材
20  冷媒回路
25  内部断熱部材
30  圧縮機
31  アキュームレータ
38  第１断熱部材
39  第２断熱部材
【図１】
2008175414.tif 000003
【図２】
2008175414.tif 000004
【図３】
2008175414.tif 000005
【図４】
2008175414.tif 000006
【図５】
2008175414.tif 000007